(57)【特許請求の範囲】
【請求項１】
光信号を交換接続するフォトニックネットワークに適用され、
光信号を交換接続する手段と、自ノードがソースノードであるときには自ノードとディスティネーションノードとの間にパスを設定する手段とを含み、
３Ｒ(Reshaping,Retiming,Regenerating)中継器を１以上備えるかもしくは備えず、前記３Ｒ中継器は使用または未使用のどちらかの状態を選択しているフォトニックノードにおいて、
自ノードがソースノードであると仮定した場合の３Ｒ中継を必要とせず光信号の転送を行えるノードである無中継リーチャブルノードをネットワークトポロジに変更が生じる度に測定する測定手段と、
前記測定手段によって測定された前記無中継リーチャブルノードのＩＰアドレスを記録する記録手段と
を備えたことを特徴とするフォトニックノード。
【請求項２】
前記測定手段によって測定された前記無中継リーチャブルノードのＩＰアドレスを他ノードに公告する手段を備えた請求項１記載のフォトニックノード。
【請求項３】
前記測定手段によって測定された前記無中継リーチャブルノードに至るパスの接続情報を他ノードに公告する手段を備えた請求項１記載のフォトニックノード。
【請求項４】
信号が正常に受信できるか試験を行うトランク装置を有し、前記トランク装置または３Ｒ中継器を自ノードを通過するパスに挿入する挿入手段を備えた請求項１ないし３のいずれかに記載のフォトニックノード。
【発明の詳細な説明】
【０００１】
【発明の属する技術分野】
本発明は光信号を交換接続するフォトニックネットワークに利用する。特に、３Ｒ(Reshaping,Retiming,Regenerating)中継を行うフォトニックノードを含むフォトニックネットワークに関する。
【０００２】
【従来の技術】
フォトニックネットワークでは、ファイバの損失やロス、クロストークを考慮して光伝送路の途中で３Ｒ処理を施す必要がある。従来のフォトニックネットワーク構成を図８に示す。３Ｒ処理を施すためには光伝送路途中のノードに３Ｒ中継器を挿入する。３Ｒ処理を行わなくてもある程度の距離までは伝送可能であるが、その距離を決定するためには複雑な計算を必要とするため、図８に示すように、１〜２段毎に３Ｒ中継器を挿入し、如何なるルートにパスが設定されても光信号の劣化を補うことができるようにする。
【０００３】
あるいは、フォトニックネットワークの特定ルートに３Ｒ中継器を挿入しておき、これを多数のパスが共通のルートとしてパス設定を行い、３Ｒ中継器を共用するという利用形態もある。ただし、この利用形態では、３Ｒ処理が必要なデータ転送の場合に経由するルートが限定される。
【０００４】
【発明が解決しようとする課題】
３Ｒ中継器は高価でありこの３Ｒ中継器をできるだけ使用しないとフォトニックネットワークはきわめて経済的に実現できる。しかし、従来のパス設定では、できる限り３Ｒ中継器を利用せずにパス設定を行うといった配慮は無く、各ノードは、あらかじめ定められた３Ｒ中継器の配置箇所を把握しているだけであり、３Ｒ中継の必要のないルートにおいても冗長に３Ｒ中継を行ってしまう場合が多々発生する。
【０００５】
このような冗長な３Ｒ中継を、少数の３Ｒ中継器により構成されたフォトニックネットワークで行えば、少数の３Ｒ中継器を多数のパスが共用することになり、一部の３Ｒ中継器に多数の負荷が集中するといった不都合が生じる可能性がある。また、少数の３Ｒ中継器を多数のパスが共用すると３Ｒ中継器の挿入箇所をパスが必ず経由することが必要になり、パス設定のフレキシビリティが低下する。
【０００６】
例えば、３Ｒ負荷が集中している特定のルートに対する新規パスの追加要求があっても、他のルートが空いているにも係わらず、そのルートにパスが設定できない事態が発生する。
【０００７】
本発明は、このような背景に行われたものであって、少数の３Ｒ中継器を用いることによりネットワークリソースの有効利用を図りながらフォトニックネットワークを構成してもフレキシビリティの高いフォトニックネットワークを実現でき、新規パスの追加に柔軟に対応することができるフォトニックノードを提供することを目的とする。
【０００８】
【課題を解決するための手段】
本発明は、自ノードから３Ｒ中継無しで到達できるノード（無中継リーチャブルノードという）の情報を各ノードが把握し、パス設定の際に、自ノードから無中継リーチャブルノードまでの３Ｒ中継無しでのパス設定を優先的に行い、できる限り少ない３Ｒ中継数によりパス設定を行うことを特徴とする。これにより、少数の３Ｒ中継器を用いてネットワークリソースの有効利用を図りながらフォトニックネットワークを構成した場合でも３Ｒ処理負荷が特定の箇所に集中してしまう事態を回避することができる。したがって、フレキシビリティの高いフォトニックネットワークを実現でき、空きルートを有効に利用して新規パスの追加に柔軟に対応することができる。
【０００９】
すなわち、本発明は、光信号を交換接続するフォトニックネットワークに適用され、光信号を交換接続する手段と、自ノードがソースノードであるときには自ノードとディスティネーションノードとの間にパスを設定する手段とを含み、３Ｒ中継器を１以上備えるかもしくは備えず、前記３Ｒ中継器は使用または未使用のどちらかの状態を選択しているフォトニックノードである。
【００１０】
ここで、本発明の特徴とするところは、自ノードがソースノードであると仮定した場合の３Ｒ中継を必要とせず光信号の転送を行えるノードである無中継リーチャブルノードをネットワークトポロジに変更が生じる度に測定する測定手段と、前記測定手段によって測定された前記無中継リーチャブルノードのＩＰアドレスを記録する記録手段とを備えたところにある。
【００１１】
このように、各ノードは、無中継リーチャブルノードの情報を記録することにより、自ノードがソースノードとなったときには、自ノードから無中継リーチャブルノードまでのパス設定を優先的に行い、ディスティネーションノードまでのルートで最も３Ｒ中継数の少ないルートを選択することができる。これにより、少数の３Ｒ中継器を用いることによりネットワークリソースの有効利用を図りながらフォトニックネットワークを構成してもフレキシビリティの高いフォトニックネットワークを実現でき、新規パスの追加に柔軟に対応することができる。
【００１２】
前記測定手段によって測定された前記無中継リーチャブルノードのＩＰアドレスを他ノードに公告する手段を備えることが望ましい。
【００１３】
前記測定手段によって測定された前記無中継リーチャブルノードに至るパスの接続情報を他ノードに公告する手段を備えることが望ましい。これにより、各ノードは、自ノードがソースノードとなったときに、ディスティネーションノードまでのルートを選択する際に、ノードの接続情報を容易に認識することができ、ルート選択を容易に行うことができる。
【００１４】
信号が正常に受信できるか試験を行うトランク装置を有し、前記トランク装置または３Ｒ中継器を自ノードを通過するパスに挿入する挿入手段を備えることが望ましい。これにより、各ノードは、自ノードからの無中継リーチャブルノードを正確に把握することができる。
【００１５】
【発明の実施の形態】
（第一実施例）
第一実施例のフォトニックノードを図１ないし図６を参照して説明する。図１は第一実施例のノード構成を示す図である。図２は本実施例の公告パケットの例を示す図である。図３は本実施例の無中継リーチャブルノード情報を示す図である。図４は本実施例の公告パケットの例を示す図である。図５は本実施例の無中継リーチャブルノード情報を示す図である。図６は本実施例の無中継でリーチャブルな範囲を決める手法を説明するための図である。
【００１６】
第一実施例は、光信号を交換接続するフォトニックネットワークに適用され、図１に示すように、光信号を交換接続する光クロスコネクト１と、自ノードがソースノードであるときには自ノードとディスティネーションノードとの間の通過ノード数が最小となるショーテストパスを計算するルート計算部２と、このルート計算部２の計算結果に基づき自ノードとディスティネーションノードとの間にパスを設定するパス設定部３とを含み、３Ｒ中継器７１〜７ｍを１以上備えるかもしくは備えないフォトニックノードである。
【００１７】
ここで、第一実施例の特徴とするところは、自ノードがソースノードであると仮定した場合の３Ｒ中継を必要とせず光信号の転送を行える限界に位置するノードである無中継リーチャブルノードをネットワークトポロジに変更が生じる度に測定する無中継リーチャブルノード計算部５と、この無中継リーチャブルノード計算部５の測定結果を、図２に示すように、ＯＳＰＦシグナリング用パケットを用いて他ノードに公告する無中継リーチャブルノード情報公告部６と、他ノードから公告された前記無中継リーチャブルノードの情報を、図３に示すように、当該他ノードのアドレスに対応させてそれぞれ記録する無中継リーチャブルノード情報収集部４とを備え、パス設定部３は、自ノードがソースノードであるときには、無中継リーチャブルノード情報収集部４の記録結果に基づき可能な限りディスティネーションノードまで少ない３Ｒ中継数となるように３Ｒ中継を行うノードを選択するところにある。
【００１８】
また、無中継リーチャブルノード情報公告部６は、図４に示すように、自ノードから前記無中継リーチャブルノードまでの接続情報を公告することもできる。これによれば、無中継リーチャブルノード情報収集部４は、自ノードから無中継リーチャブルノードまでの接続関係を、図５に示すようなネットワークトポロジ情報として把握することができる。
【００１９】
また、図１に示すように、他ノードから到来する光信号を受信して当該光信号が３Ｒ中継を必要とするか否かを判定する信号受信テストトランク８を備え、当該信号受信テストトランク８は、テスト結果を前記他ノードに通知する。
【００２０】
以下では、第一実施例をさらに詳細に説明する。
【００２１】
インタフェース部９１〜９ｍでは３Ｒ中継器７１〜７ｍをアダプティブに挿入することが可能である。図６にこのノードを使って３Ｒ無中継区間を決める手法を示す。ソースノードから順に信号を伝達していき、各ノードでは、信号受信テストトランク８による信号受信テストが実施される。その結果、Ｋ段目のノードでは無中継で信号の受信ができた。Ｋ＋１段目では、受信レベルが不十分であり、つまりＫ段目までが３Ｒ無しでのリーチャブルな範囲である。
【００２２】
図６の例では、Ｋ段目に３Ｒ中継器を入れたが、Ｋ段目以前のノードに３Ｒ中継器を挿入してもよい。すなわち、ノードは図１のように３Ｒ中継器をアダプティブに挿入することができ、例えばＫ段目のノードでは３Ｒ中継器がほとんど利用されており、新たに利用可能な３Ｒ中継器数が少なくなってしまっていたりする場合に、Ｋ−１段目に挿入しても十分である。
【００２３】
図５は、ノードＡをソースノードとしたときの無中継でのリーチャブルな範囲を示すネットワーク図である。ノードＡからはノード＃１、＃３、＃５、＃８、＃１０の範囲にあるノードには３Ｒ中継器を入れなくてもリーチャブルであることがわかる。
【００２４】
各ノードは、図２に示すように、自分から無中継でリーチャブルなノードの情報を自発的に周辺のノードに公告する。公告するパケットの例としてはＯＳＰＦパケットにリーチャブルノードの例えばＩＰアドレスをすべて収容して公告する。あるいは、図５に示すように、無中継となるルートを示して公告することもできる。これによれば、例えばルート＃２→＃１と通って無中継なパスを転送することが可能であることがわかる。
【００２５】
（第二実施例）
第二実施例のノードの構成を図７を参照して説明する。第二実施例のノードには置型の３Ｒ中継器７１〜７ｎを実装してあり、入力回線ｍ本に対し、３Ｒ中継器７１〜７ｎをｎ個（ｎ≪ｍ）を備えることにより経済的にノードを実現することが可能である。
【００２６】
【発明の効果】
以上説明したように、本発明によれば、少数の３Ｒ中継器を用いることによりネットワークリソースの有効利用を図りながらフォトニックネットワークを構成してもフレキシビリティの高いフォトニックネットワークを実現でき、新規パスの追加に柔軟に対応することができる。
【図面の簡単な説明】
【図１】第一実施例のノード構成を示す図。
【図２】本実施例の公告パケットの例を示す図。
【図３】本実施例の無中継リーチャブルノード情報を示す図。
【図４】本実施例の公告パケットの例を示す図。
【図５】本実施例の無中継リーチャブルノード情報を示す図。
【図６】本実施例の無中継でリーチャブルな範囲を決める手法を説明するための図。
【図７】第二実施例のノード構成を示す図。
【図８】従来のフォトニックネットワークの構成図。
【符号の説明】
１  光クロスコネクト
２  ルート計算部
３  パス設定部
４  無中継リーチャブルノード情報収集部
５  無中継リーチャブルノード計算部
６  無中継リーチャブルノード情報公告部
７１〜７ｎ、７ｍ  ３Ｒ中継器
８  信号受信テストトランク
９１〜９ｍ  インタフェース部
【図１】
0003690671.tif 000002
【図２】
0003690671.tif 000003
【図３】
0003690671.tif 000004
【図４】
0003690671.tif 000005
【図５】
0003690671.tif 000006
【図６】
0003690671.tif 000007
【図７】
0003690671.tif 000008
【図８】
0003690671.tif 000009